(57)【要約】【課題】指示された農作業計画を、入力された作業実績を用いて農作業報告書に変換することができる農業支援システムを提供すること。【解決手段】農作業管理装置２と、農業機械で行った農作業に関する作業データを収集可能なデータ収集装置３と、農作業管理装置２とデータ収集装置３との間での無線通信を行う携帯端末４とを備える農業支援システム１において、農作業管理装置２は、特定の圃場における作業計画を作成する作業計画作成手段２０と、特定の圃場に関する作業計画に基づいた農作業の指示を携帯端末４に行う作業指示手段２６と、特定の圃場における作業データを取得する作業実績データ取得手段２７と、作業計画作成手段２０によって作成された作業計画を、圃場、作業内容、及び農作業の開始から終了までの作業データを互いに関連付けた農作業報告書６０に変換する報告書作成手段２８と、を備える。【選択図】図１
2014071709.tif 000002
【特許請求の範囲】
【請求項１】
農作業を管理する農作業管理装置と、農業機械に搭載され且つ前記農業機械で行った農作業に関する作業データを収集可能なデータ収集装置と、前記農作業管理装置とデータ収集装置との間での無線通信を行う携帯端末とを備え、
前記農作業管理装置は、
農作業を行う特定の圃場、前記特定の圃場で行う農作業の作業内容、及び前記特定の圃場で使用する農業機械の機種を含む作業計画を作成する作業計画作成手段と、
前記特定の圃場に関する作業計画に基づいた農作業の指示を前記携帯端末に行う作業指示手段と、
前記特定の圃場における農作業の開始から終了までの前記作業データを取得する作業実績データ取得手段と、
前記作業計画作成手段によって作成された作業計画を、前記農作業の開始から終了までの作業データを加えることにより、圃場、作業内容、及び農作業の開始から終了までの作業データを互いに関連付けた農作業報告書に変換する報告書作成手段と、を備えることを特徴とする農業支援システム。
【請求項２】
前記データ収集装置が収集した作業データに対して、農作業の開始を示す開始フラグを付与すると共に農作業の終了を示す終了フラグを付与するフラグ付与手段を備えていることを特徴とする請求項１に記載の農業支援システム。
【請求項３】
前記作業計画作成手段は、前記作業計画を作成するために、前記農作業を行う特定の圃場、前記特定の圃場で行う農作業の作業内容、及び前記特定の圃場で使用する農業機械の機種を含む情報を入力するための入力画面を有していることを特徴とする請求項１又は２に記載の農業支援システム。
【発明の詳細な説明】
【技術分野】
【０００１】
本発明は、農作業の作業計画と実際に実施された農作業に関する作業データとに基づいて、農作業の日報となる農作業報告書を作成する農業支援システムに関する。
【背景技術】
【０００２】
収穫までに数ヶ月を要する農作物は、日々の農作業の積み重ねによって育成される。生産者は、農作物ごとに実施しなくてはならない農作業を、圃場の気候、気象、及び農作物の生育状況を勘案しながら適切な時期に実施する。
近年、複数の圃場で農作物を生産する生産者が増加しているので、複数の圃場で実施されるそれぞれ異なった農作業計画の管理や、実際に実施されてそれぞれ異なった農作業の管理などを実施する技術が開発されている。
【０００３】
このような、農作業計画の管理や農作業の管理などを実施する技術として、特許文献１に開示の生産履歴管理プログラムある。
特許文献１に開示の生産履歴管理プログラムは、工程情報に基づいて、被生産物を生産するため予め企画・提案された作業計画を出力する作業計画処理ステップと、前記作業計画に基づいて、現実に実施された作業実績を入力する作業実績入力ステップと、をコンピュータに実行させることを特徴とするものである。
【先行技術文献】
【特許文献】
【０００４】
【特許文献１】特開２００９−６４２３１号公報
【発明の概要】
【発明が解決しようとする課題】
【０００５】
特許文献１の生産履歴管理プログラムは、予め企画された作業計画に対して、農業従事者（生産者）が作業実績を入力することで農作物の生産履歴を管理するものである。
しかし、生産者にとって、農耕地である農作業現場で作業実績を忘れることなく書き留めてコンピュータに入力することは、非常に面倒な作業である。さらに、複数の圃場で農作物を生産する生産者にとって、圃場ごとに異なる作業計画に対してひとつひとつ作業実績を書き留めてコンピュータに入力する作業は、非常に面倒なだけでなく煩雑な作業となり、入力の間違いを誘発する原因となる。
【０００６】
本発明は上述の課題に鑑み、作業実績のコンピュータへの入力を容易にし、指示された農作業計画を、入力された作業実績を用いて農作業報告書に変換することができる農業支援システムを提供することを目的としたものである。
【課題を解決するための手段】
【０００７】
この技術的課題を解決するための本発明の技術的手段は、以下に示す点を特徴とする。
請求項１に記載の発明は、農作業を管理する農作業管理装置と、農業機械に搭載され且つ前記農業機械で行った農作業に関する作業データを収集可能なデータ収集装置と、前記農作業管理装置とデータ収集装置との間での無線通信を行う携帯端末とを備えた農業支援システムであって、前記農作業管理装置は、農作業を行う特定の圃場、前記特定の圃場で行う農作業の作業内容、及び前記特定の圃場で使用する農業機械の機種を含む作業計画を作成する作業計画作成手段と、前記特定の圃場に関する作業計画に基づいた農作業の指示を前記携帯端末に行う作業指示手段と、前記特定の圃場における農作業の開始から終了までの前記作業データを取得する作業実績データ取得手段と、前記作業計画作成手段によって作成された作業計画を、前記農作業の開始から終了までの作業データを加えることにより、圃場、作業内容、及び農作業の開始から終了までの作業データを互いに関連付けた農作業報告書に変換する報告書作成手段と、を備えることを特徴とする。
【０００８】
請求項２に記載の発明は、前記データ収集装置が収集した作業データに対して、農作業の開始を示す開始フラグを付与すると共に農作業の終了を示す終了フラグを付与するフラグ付与手段を備えていることを特徴とする。
請求項３に記載の発明は、前記作業計画作成手段が、前記作業計画を作成するために、
前記農作業を行う特定の圃場、前記特定の圃場で行う農作業の作業内容、及び前記特定の圃場で使用する農業機械の機種を含む情報を入力するための入力画面を有していることを特徴とする。
【発明の効果】
【０００９】
本発明によれば、以下の効果を奏する。
請求項１に記載の発明によれば、作業計画作成手段によって作成された作業計画に、データ収集装置で収集した農作業の開始から農作業の終了までの作業データを加えることで、農作業報告書を作成することができる。従って、指示された農作業計画を、入力された作業実績を用いて容易に農作業報告書に変換することができる。
【００１０】
請求項２に記載の発明によれば、農業機械によって収集された作業データに対して、実際に行った農作業に該当する作業データを適切に抽出するための識別子を付すことができる。
請求項３に記載の発明によれば、圃場毎の日々の作業計画を、入力画面従って簡便に作成することができる。
【図面の簡単な説明】
【００１１】
【図１】本発明の実施形態による農業支援システムの概略構成を示す図である。
【図２】本実施形態による農業支援システムにおいて農作業管理装置の作業計画作成手段が有する入力画面のうち日付決定画面を示す図である。
【図３】本実施形態における作業計画作成手段が有する入力画面のうち圃場作業決定画面を示す図である。
【図４】本実施形態における作業計画作成手段が有する入力画面のうち作業者指定画面を示す図である。
【図５】本実施形態における作業計画作成手段が有する入力画面のうち作業内容決定画面を示す図である。
【図６】本実施形態における作業計画作成手段が有する入力画面のうち機械選択画面を示す図である。
【図７】本実施形態による農業支援システムにおいて携帯端末が表示する圃場選択画面を示す図である。
【図８】本実施形態における携帯端末が表示する作業指示画面を示す図である。
【図９】本実施形態による農業支援システムにおいて、農業機械のデータ収集装置が収集した作業データに、携帯端末からの指示によって開始フラグ及び終了フラグが付された作業実績データを示す図である。
【図１０】本実施形態による農業支援システムにおいて、農作業管理装置の報告書作成手段が作成した農作業報告書画面を示す図である。
【発明を実施するための形態】
【００１２】
以下、本発明の実施形態を図面に基づいて説明する。
図１は、本発明の実施形態による農業支援システム１の概略構成を示す図である。
図１に示すように、本実施形態による農業支援システム１は、農作業を管理するためのパーソナルコンピュータＰＣ（Personal Computer）である農作業管理装置２と、トラクタ５に搭載されたデータ収集装置３と、タブレットＰＣ（Personal Computer）と呼ばれる持ち運びが容易な小型コンピュータであって、農作業を実施する作業者（オペレータ）に携帯されて農作業管理装置２とデータ収集装置３との間での通信を行う携帯端末４と、を含んで構成される。
【００１３】
農作業管理装置２は、例えば、圃場から離れた場所にある農家又は営農組織の建物内に設置され、インターネットＮに接続可能である。携帯端末４は、少なくともＷｉ−Ｆｉ（登録商標）やＢｌｕｅｔｏｏｔｈ（登録商標）といった近距離又は短距離の無線通信機能を備えおり、例えばＷｉ−Ｆｉ通信によってインターネットＮに接続可能であって、農作業管理装置２との間でインターネットＮを介してデータの送受信が可能である。さらに、携帯端末４は、少なくともＷｉ−Ｆｉ（登録商標）やＢｌｕｅｔｏｏｔｈ（登録商標）といった無線通信によってトラクタ５のデータ収集装置３との間でデータの送受信が可能で
ある。
【００１４】
農業支援システム１において、農作業管理装置２は、農作業を行うある特定の圃場に対する農作業計画（以下、単に作業計画という）を作成する。携帯端末４は、農作業管理装置２によって作成された作業計画を取得し、オペレータは、取得された作業計画に従ってトラクタ５を操縦し農作業を行う。
データ収集装置３は、エンジン６の稼働時間、エンジン回転数、及びトラクタ５の車速など、トラクタ５自体の稼働情報、及びトラクタ５に取り付けられて耕耘や肥料散布などを行う作業具（アタッチメント）の稼働情報を作業データとして収集し、収集した作業データを携帯端末４に送信する。
【００１５】
このとき、オペレータが所持する携帯端末４は、農作業管理装置２から取得した作業計画と、トラクタ５のデータ収集装置３から取得した作業データとを保持し、作業計画と作業データを対応づける。その後、携帯端末４は、作業計画に対応づけられた作業データを農作業管理装置２に送信する。
農作業管理装置２は、受信した作業データを用いて作業計画を変換することで、該作業計画に対応する農作業報告書を作成する。
【００１６】
以下、図面を参照しながら、作業計画と作業データを用いて農作業報告書を作成する農業支援システム１について、詳しく説明する。
まず、データ収集装置３を搭載するトラクタ５の構成を説明する。
図１に示すように、トラクタ５は、前後に車輪を有する走行車両（走行車体）に、エンジン６、変速装置等を搭載して構成されている。この走行車両の後部には、３点リンク機構７などが昇降可能に設けられている。３点リンク機構７には、耕耘装置、肥料散布装置、農薬散布装置、播種散布装置、収穫装置などの作業装置が着脱自在となっており、図１では、耕耘装置８が取り付けられている。
【００１７】
また、図１に示すように、トラクタ５には、トラクタ５の動作を制御する制御装置９が備えられると共に、携帯端末４と無線通信するための無線通信機器１０が搭載されている。
制御装置９は、主にトラクタ５の走行系を制御する走行制御と、トラクタ５の作業系を制御する作業制御とを行う。具体的に制御装置９は、走行制御として、例えば、エンジン６の始動及び運転を制御する「エンジン制御」、多段変速機の切換を行う「変速制御」、多段変速機の変速制御のうち前進と後進との切換を行う「前後進制御」を行う。また、制御装置９は、作業制御として、例えば、３点リンク機構７の昇降を制御する「昇降制御」を行う。
【００１８】
この制御装置９は、上述のデータ収集装置３を有しており、データ収集装置３によって、エンジン６の稼働時間、エンジン回転数、及びトラクタ５の車速など、トラクタ５自体の稼働情報を走行制御を通じて収集し、トラクタ５に取り付けられて耕耘や肥料散布などを行う耕耘装置８等の作業具（アタッチメント）の稼働情報を作業制御を通じて収集する。
【００１９】
図１に示すように、データ収集装置３を有する制御装置９は、トラクタ５に搭載された車両用通信ネットワークＣＮ（例えば、Controller Area NetworkやFlexRayなど）を介して、エンジン６及びアタッチメントの制御部に接続されている。
農作業管理装置２は、作業計画作成手段２０、作業指示手段２６、作業実績データ取得手段２７、及び報告書作成手段２８を備えている。
【００２０】
作業計画作成手段２０は、農作業を行う特定の圃場、特定の圃場で行う農作業の作業内容、及び特定の圃場で使用する農業機械の機種を含む作業計画を作成するものである。
図２〜図６を参照しながら、作業計画の作成方法について説明する。
作業計画作成手段２０は、モニタに表示される入力画面として、図２に示す日付決定画面２１、図３に示す圃場作業決定画面２２、図４に示す作業者指定画面２３、図５に示す作業内容決定画面２４、及び図６に示す機械選択画面２５を有している。
【００２１】
図２に示すように、日付決定画面２１は、例えば、カレンダーを表示する画面であり、作業計画として立案する農作業を行う日付を表示されたカレンダー上で指定すると、指定
された日付の作業計画の入力（作成）が開始される。図２では、作業日として、２０１２年９月２８日が指定されている。
図３に示すように、圃場作業決定画面２２は、図２の日付決定画面２１で指定された２０１２年９月２８日の作業計画に関して、農作業を実施する特定の圃場（例えば、圃場Ａ）の指定と、指定した圃場（圃場Ａ）で実施する農作業の内容（作業項目）の指定とを行うための画面である。
【００２２】
図３では、作業日（２０１２年９月２８日）の表示の下に、例えば、圃場の鳥瞰図や航空写真などの地図情報が表示され、表示された地図情報上で、農作業を実施する圃場Ａを、ポインタなどを用いて指定している。圃場Ａを指定すると、指定された圃場Ａの住所及び圃場名が、表示された地図情報の上方に表示される。
また、表示された地図情報の下方には、農作業の種類（作業項目）が表示されており、指定された圃場Ａで実施する作業項目が選択される。図３では、作業項目として示された播種、耕耘、除草作業、農薬散布、収穫、及び肥料散布のうち、耕耘と肥料散布が選択されている。
【００２３】
図４に示すように、作業者指定画面２３は、図３に示す圃場作業決定画面２２で圃場と作業項目が選択された後に表示される画面であって、選択された圃場Ａで農作業を行う作業者（オペレータ）の候補を表示し、農作業を行うオペレータを指定するための画面である。図４では、６名のオペレータの名前が表示され、ポインタなどを用いてチェックマークが付された「佐藤」及び「高橋」の２名のオペレータが、農作業を行うオペレータとして指定されている。
【００２４】
図５に示すように、作業内容決定画面２４は、図４に示す作業者指定画面２３でオペレータが指定された後に表示される画面であって、図３に示す圃場作業決定画面２２で選択された作業項目のそれぞれについて、作業項目と農作業を行うオペレータとの割り振りを設定するための画面である。また、圃場作業決定画面２２で選択された作業項目のそれぞれについて、開始時刻と終了時刻とを設定するための画面でもある。図５では、作業項目である「耕耘」を行うオペレータとして、作業者指定画面２３で指定された「佐藤」、「高橋」のうち、「佐藤」が指定されている。また、「耕耘」について、開始時刻が７時３０分、終了時刻が１０時００分と設定されている。
【００２５】
また、図５では、作業項目である「肥料散布」を行うオペレータとして、作業者指定画面２３で指定された「佐藤」、「高橋」のうち、「佐藤」及び「高橋」が指定されている。また、「肥料散布」について、開始時刻が７時３０分、終了時刻が１０時００分と設定されている。
即ち、作業者指定画面２３では、農作業を行う複数のオペレータが指定できるようになっており、作業内容決定画面２４では、作業項目毎に農作業を行うオペレータが指定でき、さらに、同一の作業項目に対して、複数のオペレータを指定することが可能である。
【００２６】
図６に示すように、機械選択画面２５は、農家が所有している、或いは、オペレータが使用することができる農業機械（農機）の機種（種類等）の一覧を表示して、圃場で農作業を行う時に使用する農業機械を選択するための画面である。
図６では、例えば、農業機械として複数のトラクタの機種（機種番号）が表示されると共に、当該トラクタに装着可能なアタッチメントとして「耕耘機」、「ブロードカスタ」、「畝立機」、「草刈機」、「シーダー」、及び「トレンチャー」が表示されている。作業計画を作成するにあたっては、圃場の大きさ（面積）、作業項目（作業内容）、作業時間等を考慮して、複数の農業機械の中から圃場で使用する農業機械を選択する。
【００２７】
作業計画作成手段２０は、以上の図２〜図６に示した画面で入力された情報に基づいて、ある特定の日に特定の圃場（圃場Ａ）で行う農作業を示した作業計画を作成する。
作業指示手段２６は、上述の手順を経て作成された作業計画を、特定の圃場（圃場Ａ）に関する農作業の指示として、後述する携帯端末４に出力するものである。
携帯端末４は、農作業管理装置２の作業指示手段２６から作業指示としての作業計画を取得する作業指示取得手段４０と、トラクタ５のデータ収集装置３からトラクタ５の稼働情報及びアタッチメントの稼働情報を作業データとして取得する収集データ取得手段４１
とを有している。
【００２８】
オペレータは、農作業を行う圃場に携帯端末４を携行し、作業指示取得手段４０によって取得された作業計画を、作業指示として携帯端末４のモニタに表示する。
例えば、図７に示すように、オペレータは、圃場への移動の途上又は圃場に到着してから、携帯端末４のモニタに圃場を選択するための地図（圃場選択画面）を表示させて、表示された地図上でこれから農作業を行う圃場Ａを選択する。圃場Ａが選択されると、携帯端末４は、作業指示取得手段４０で取得した圃場Ａに関する作業計画を作業指示として表示する。
【００２９】
図８は、携帯端末４のモニタに表示された作業指示（作業指示画面４２）を示す図であり、農作業管理装置２の作業指示手段２６が出力した作業計画とほぼ等価の情報が表示されている。即ち、携帯端末４のモニタには、日付決定画面２１、圃場作業決定画面２２、作業者指定画面２３、作業内容決定画面２４及び機械選択画面２５で設定された作業計画を、作業指示として作業指示画面４２に表示する。
【００３０】
図８に示す作業指示（作業指示画面４２）には、作業計画で指示された内容として、農作業を実施する日付（２０１２年９月２８日）と、農作業を実施する圃場名（圃場Ａ）及びその住所と、作業者（オペレータ）の名前（佐藤、高橋）と、実施する作業名（耕耘作業、肥料散布作業）とが示されている。加えて、作業指示には、耕耘作業の予定開始時刻、予定終了時刻、及び耕耘作業を実際に行った実績時間と、肥料散布作業の予定開始時刻、予定終了時刻、肥料散布作業を実際に行った実績時間、総施肥量（ｋｇ）、及び施肥濃度（ｋｇ／１０ａ）とが示されている。耕耘作業の実績時間と、肥料散布作業の実績時間、総施肥量、及び施肥濃度とは、携帯端末４の収集データ取得手段４１によってトラクタ５のデータ収集装置３から取得されるトラクタ５及びアタッチメントの作業データである。
【００３１】
詳しくは、作業指示画面４２には、作業内容決定画面２４で指定された作業項目である「耕耘」が示されると共に、この作業項目に対応して機械選択画面２５で指定された農業機械の種類である「ＭＺ７５５Ａ、耕耘機」が示されている。作業項目である「耕耘」及び農業機械の種類である「ＭＺ７５５Ａ、耕耘機」に対応して、さらに、作業内容決定画面２４で指定された「耕耘」を行うオペレータとして「佐藤」が表示されている。また、作業内容決定画面２４で指定された開始時刻及び終了時刻が、予定開始時刻及び予定終了時刻として表示されている。また、作業指示画面４２には、作業項目である「耕耘」について、実績時間が空欄となっている。
【００３２】
なお、肥料散布についても、当該肥料散布を行うオペレータ（佐藤、高橋）、使用する農業機械（ＭＺ７５５、ブロードカスタ）、予定開始時刻（１０時３０分）、予定終了時刻開始（１２時００分）が表示され、実績時間、総施肥量及び施肥濃度が空欄となっている。
以上のように、作業計画を作業指示として置き換えて表示する構成であるためわざわざ作業計画とは別に作業指示書を作成しなくても、オペレータに作業指示を行うことができる。特に、作業指示画面４２では、作業項目や農作業を行うオペレータ名を表示するだけでなく、作業項目と使用する農業機械とを示しているため、オペレータは、農作業を行うために、複数の農業機械の中から農業機械の選択するための作業（他のオペレータに農業機械を使用して良いかなどの問い合わせや１つの農業機械を使用するための工程管理）を行うことを少なくすることができ、スムーズに農作業を行うことができる。また、作業指示画面４２では、１つの圃場に対して、複数の作業項目の他、その作業項目に従事する複数のオペレータを表示できるため、作業指示について情報の共有ができ、この点からもスムーズに農作業を行うことができる。
【００３３】
耕耘作業や肥料散布作業などの農作業の開始に伴って、オペレータが、図８の作業指示画面４２の下方に表示された「作業開始」のボタンに触れると、携帯端末４は、農作業の開始時期を明示する「開始信号」を、トラクタ５のデータ収集装置３へ送信する。また、農作業が終了し、オペレータが、「作業開始」のボタンの隣に表示された「作業終了」のボタンに触れると、携帯端末４は、農作業の終了時期を明示する「終了信号」を、トラク
タ５のデータ収集装置３へ送信する。
【００３４】
トラクタ５のデータ収集装置３は、データ収集装置３が収集した作業データに対して、農作業の開始を示す開始フラグを付与すると共に農作業の終了を示す終了フラグを付与するフラグ付与手段を備えている。このフラグ付与手段によって、図９に作業実績データ５０として示すように、携帯端末４から送信された「開始信号」を受信したトラクタ５のデータ収集装置３は、時系列で蓄積している作業データにおいて、「開始信号」を受信した時間に対応する作業データに開始フラグ（開始Ｆ）を付し、「終了信号」を受信した時間に対応する作業データに終了フラグ（終了Ｆ）を付す。
【００３５】
図９は、作業データに開始フラグ及び終了フラグが付された作業実績データ５０を示しており、１分間隔で時系列で蓄積された作業データに対して開始フラグ及び終了フラグが付されている。
図９において、開始フラグが付されたデータＮｏ．０００８は、トラクタ５のデータ収集装置３が作業データの収集を開始してから１８分（０ｈ１８ｍ）が経過したときの作業データであり、終了フラグが付されたデータＮｏ．０１４３は、同じく２時間３３分（２ｈ３３ｍ）が経過したときの作業データである。データＮｏ．０００８〜データＮｏ．０１４３の作業データは、作業計画で指示された耕耘作業におけるトラクタ５の車速を示すデータであり、各作業データが対応づけられた経過時間から、耕耘作業に要した時間（実績時間）を知ることができる。
【００３６】
また、開始フラグが付されたデータＮｏ．０１７８は、トラクタ５のデータ収集装置３が作業データの収集を開始してから２時間５０分（２ｈ５０ｍ）が経過したときの作業データであり、終了フラグが付されたデータＮｏ．０２７３は、同じく４時間２５分（４ｈ２５ｍ）が経過したときの作業データである。データＮｏ．０１７８〜データＮｏ．０２７３の作業データは、作業計画で指示された肥料散布作業におけるアタッチメントの施肥濃度を示すデータであり、各作業データから、１分毎の散布量及び施肥濃度を得ることができ、且つ各作業データが対応づけられた経過時間から、肥料散布に要した時間（実績時間）を知ることができる。
【００３７】
トラクタ５のデータ収集装置３は、このような図９に示す作業実績データ５０を、農作業中又は農作業の終了後の任意のタイミングで携帯端末４の収集データ取得手段４１に送信する。
収集データ取得手段４１によって作業実績データ５０を受信した携帯端末４は、農作業の終了後、受信した作業実績データ５０を、農作業管理装置２の作業実績データ取得手段２７に送信する。
【００３８】
農作業管理装置２の作業実績データ取得手段２７は、携帯端末４から特定の圃場における農作業の開始から終了までの作業実績データ５０を取得し、取得した作業実績データ５０から、作業計画で示された農作業項目に対応する作業データを、開始フラグ及び終了フラグに基づいて抽出する。
具体的には、図９に示す作業実績データ５０において、開始フラグと終了フラグで区切られたデータＮｏ．０００８〜データＮｏ．０１４３の作業データ、及びデータＮｏ．０１７８〜データＮｏ．０２７３の作業データを抽出する。その上で、作業実績データ取得手段２７は、「車速」、「施肥濃度」、及び「施肥量」など、抽出した作業データの属性を参照して、抽出した作業データが、作業計画に示された農作業項目のうちいずれの農作業項目に対応するデータであるのかを判断する。
【００３９】
データＮｏ．０００８〜データＮｏ．０１４３の作業データは、「車速」を属性とするデータであるので、作業実績データ取得手段２７は、データＮｏ．０００８〜データＮｏ．０１４３の作業データを、作業計画の耕耘作業に対応させる。また、データＮｏ．０１７８〜データＮｏ．０２７３の作業データは、「施肥濃度」及び「施肥量」を属性とするデータであるので、作業実績データ取得手段２７は、データＮｏ．０１７８〜データＮｏ．０２７３の作業データに、作業計画の肥料散布作業に対応させる。
【００４０】
報告書作成手段２８は、作業計画作成手段２０によって作成された作業計画を、作業データ取得手段が抽出した農作業の開始から終了までの作業データを加えることにより、圃
場、作業内容、農業機械の機種、農作業の開始から終了までの作業データをそれぞれ関連付けた農作業報告書６０に変換するものである。
図１０に示すように、報告書作成手段２８は、図８に示した作業計画（作業指示）に作業実績データ取得手段２７が対応づけた作業データを割り当てることで、作業計画を変換して農作業報告書６０を作成する。
【００４１】
具体的には、報告書作成手段は、図９に示す作業実績データ５０のうち、耕耘作業に対応付けられたデータＮｏ．０００８〜データＮｏ．０１４３の経過時間から耕耘作業に要した時間（２時間１５分）を求め、図８に示した作業計画の耕耘作業の実績時間に、求めた時間「２時間１５分」を割り当てる。
また、報告書作成手段２８は、図９に示す作業実績データ５０のうち、耕耘作業に対応付けられたデータＮｏ．０１７８〜データＮｏ．０２７３の経過時間から肥料散布作業に要した時間（１時間３５分）を求め、図８に示した作業計画の肥料散布作業の実績時間に、求めた時間「１時間３５分」を割り当てる。さらに、報告書作成手段２８は、データＮｏ．０１７８〜データＮｏ．０２７３の施肥濃度（９．８ｋｇ／１０ａ）を、図８に示した作業計画の肥料散布作業の散布濃度に割り当て、データＮｏ．０１７８〜データＮｏ．０２７３の各施肥量の合計（２９４ｋｇ）を、作業計画の肥料散布作業の総散布量に割り当てて、圃場、作業内容、及び農作業の開始から終了までの作業データを互いに関連付けた農作業報告書６０を作成する。
【００４２】
上述のとおり、本実施形態による農業支援システム１は、パーソナルコンピュータ（ＰＣ）などで構成される農作業管理装置２、タブレットＰＣなどの携帯端末４、及びトラクタ５のデータ収集装置３を用いて、農作業の作業計画の作成から農作業報告書６０を作成するものである。
本実施形態による農業支援システム１は、作業計画を基にして、作業データを手作業で入力することなく農作業報告書６０が作成されるので、特に、複数のオペレータが分担して複数の圃場（圃場）で農作業を行う大規模な営農組織において、容易かつ正確に農作業を管理することができる。具体的には、営農組織が、農作業管理装置２を用いて複数の圃場のそれぞれに対して作成した作業計画を、それぞれの圃場を担当するオペレータが携帯端末４を用いて取得し、担当する圃場で取得した作業計画に従って農作業を実施する。携帯端末４は、この農作業の途中又は終了後に、農業機械の作業データを取得して、取得した作業データを営農組織の農作業管理装置２に送信することで、作業計画が、営農組織及びオペレータの双方にとってほぼ自動的に農作業報告書６０に変換される。
【００４３】
従って、オペレータは、農作業を行いながら作業記録を書き留めなくてはならないといった不自由さから解放されて、農作業を効率的に実施することに集中することができる。営農組織にとっては、オペレータが農作業を行いながら書き留めた作業記録を用いなくとも、正確な作業データを容易に取得することができる。これによって、正確な農作業報告書６０（作業日報）を作成することができると共に、正確な農作業の記録を容易に蓄積することができる。
【００４４】
しかも、作業計画をたてるにあたって、農作業の作業内容だけでなく、その圃場で使用する農業機械の機種（種類）も指定することができる。そのため、作業計画を変換した農作業報告書６０には、農作業で使用した農業機械と実際の作業内容（作業実績）とが関連付けて記載されることになる。ここで、過去の農作業報告書６０を利用して作業計画をたてる場合、農作業報告書６０には、農業機械の種類と作業実績とが残されているため、農作業報告書６０に基づいて構築された作業計画には、農業機械の特性を盛り込むことができる。
【００４５】
上述した実施形態では、携帯端末４がデータ収集装置３に対して、作業開始を示す開始信号及び作業終了を示す終了信号を送信し、それぞれ開始信号、終了信号が当該データ収集装置３に入力されたときに、データ収集装置３のフラグ付与手段によって、作業データに対して開始フラグ及び終了フラグを付していたが、これに代え、携帯端末４が、作業データに対して開始フラグ及び終了フラグを付すフラグ付与手段を設けてもよい。例えば、農作業の有無に関わらず、データ収集装置３からの作業データを連続的に携帯端末４が受
信している状況下で、オペレータが作業指示画面４２の「作業開始」のボタンに触れると、携帯端末４は作業開始を検出し、作業開始を検出した時点で受信している作業データに開始フラグを付す。また、引き続き、作業データを連続的に携帯端末４が受信している状況下で、オペレータが作業指示画面４２の「作業終了」のボタンに触れると、携帯端末４は作業終了を検出し、作業終了を検出した時点で受信している作業データに終了フラグを付す。このように、農作業を行っているか否かに関わらず、農業機械が動作しているときに、データ収集装置３が携帯端末４に作業データを送信し続けている場合であっても、開始フラグ及び終了フラグによって、農作業中の作業データだけを抽出することができる。
【００４６】
また、上述した実施形態では、作業指示画面４２に示した作業指示、即ち、作業計画に、実際に農作業を行ったときの作業データを割り当てることで、作業計画を変換して農作業報告書６０を作成していたが、農作業を行ったオペレータ毎に農作業報告書６０を作成してもよい。即ち、図１０に示した農作業報告書６０は、圃場Ａにおける農作業を報告するためのものであるが、この農作業報告書６０を、農作業を行った「佐藤」と「高橋」とに分けてもよい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
例えば、図９に示す作業実績データ５０を、トラクタ５のデータ収集装置３ではなく、携帯端末４で作成してもよい。つまり、上述の実施形態においてトラクタ５のデータ収集装置３に備えられたフラグ付与手段を、携帯端末４に設けるような構成を採用してもよい。このときは、トラクタ５のデータ収集装置３が収集した作業データを携帯端末４が取得し、この取得された作業データに対して、携帯端末４に備えられたフラグ付与手段が開始フラグ及び終了フラグを付すように構成するとよい。
【符号の説明】
【００４８】
１  農業支援システム
２  農作業管理装置
３  データ収集装置３
４  携帯端末４
５  トラクタ５
６  エンジン
７  ３点リンク機構
８  耕耘装置
９  制御装置
１０  無線通信機器
２０  作業計画作成手段
２１  日付決定画面
２２  圃場作業決定画面
２３  作業者指定画面
２４  作業内容決定画面
２５  機械選択画面
２６  作業指示手段
２７  作業実績データ取得手段
２８  報告書作成手段
４０  作業指示取得手段
４１  収集データ取得手段
４２  作業指示画面
５０  作業実績データ
６０  農作業報告書
Ｎ  インターネット
ＣＮ  車両用通信ネットワーク
【図１】
2014071709.tif 000003
【図２】
2014071709.tif 000004
【図３】
2014071709.tif 000005
【図４】
2014071709.tif 000006
【図５】
2014071709.tif 000007
【図６】
2014071709.tif 000008
【図７】
2014071709.tif 000009
【図８】
2014071709.tif 000010
【図９】
2014071709.tif 000011
【図１０】
2014071709.tif 000012